(57)【要約】【課題】日除部と帽子本体との結合力に優れ、さらに製造の作業性にも優れた日除部付の帽子を提供すること。【解決手段】日除部が、スナップテープのスナップボタンにより、帽子本体の後方周縁部に、着脱自在に設けられていることを特徴とする帽子。特に、帽子本体の後方周縁部および日除部の上縁部に、スナップテープが設けられていることを特徴とする帽子。さらに、帽子本体の後方周縁部および日除部の上縁部に、サイズ調節用ゴムが設けられていることを特徴とする鍔付帽子。【選択図】図２
0003103595.tif 000002
【実用新案登録請求の範囲】
【請求項１】
日除部が、スナップテープのスナップボタンにより、帽子本体の後方周縁部に、着脱自在に設けられていることを特徴とする帽子。
【請求項２】
帽子本体の後方周縁部および日除部の上縁部に、スナップテープが設けられていることを特徴とする請求項１に記載の帽子。
【請求項３】
帽子本体の後方周縁部に、サイズ調節用ゴムが設けられていることを特徴とする請求項１または請求項２に記載の帽子。
【請求項４】
日除部の上縁部に、サイズ調節用ゴムが設けられていることを特徴とする請求項１ないし請求項３のいずれかに記載の帽子。
【請求項５】
帽子が、鍔付帽子であることを特徴とする請求項１ないし請求項４のいずれかに記載の帽子。
【考案の詳細な説明】
【技術分野】
【０００１】
本考案は、日除部が、帽子本体の周縁部に、着脱自在に設けられている帽子に関するものである。
【背景技術】
【０００２】
太陽光線に含まれる紫外線は、皮膚がんをはじめ皮膚に悪影響を及ぼし、さらに皮膚ばかりではなく、体内の免疫機能も低下させる原因にもなっており、各種の紫外線防止対策が行われている。
【０００３】
特に、主として屋外で使用する帽子については、学童用帽子を中心として、帽子本体の後方周縁部に、後頭部および首筋を紫外線から保護することを目的に、日除部を設けることが行なわれている。
【０００４】
さらに、前記の場合、屋内あるいは冬期などの紫外線が比較的少ない時期での使用時など、日除部の使用の必要性が小さい場合への配慮から、日除部を帽子本体に着脱自在に設けることが行われている。（実用新案登録第３０３９８２７号公報）
【０００５】
この場合、例えば、ボタンとボタン穴との組み合わせにより、日除部を帽子本体に着脱自在に設けることが行われているが、日除部および帽子本体に、ボタンやボタン穴を取り付ける作業には多大な労力を要するという問題がある。
【０００６】
また、雄スナップボタンと雌スナップボタンとの組み合わせにより、日除部を帽子本体に着脱自在に設けることも行われているが、日除部および帽子本体に、複数の雄スナップボタンや複数の雌スナップボタンを個々に設けることにも多大な労力を要するという問題がある。
【０００７】
この様な問題を解決するために、マジックテープ（登録商標）の如き面ファスナーにより、日除部を帽子本体に着脱自在に設けることも行われているが、面ファスナーは、結合力が弱いという問題がある。
【０００８】
さらに、面ファスナーの場合、帽子本体の後方周縁部に、サイズ調節用ゴムが設けられ、伸縮部がある場合には、結合力が極めて弱く、日除部が脱落しやすいという問題がある。
【特許文献１】実用新案登録第３０３９８２７号公報
【考案の開示】
【考案が解決しようとする課題】
【０００９】
本考案は、前記の問題を解決する帽子であって、日除部と帽子本体との結合力に優れ、さらに製造の作業性にも優れた帽子を提供することを課題とする。
【課題を解決するための手段】
【００１０】
本考案は、日除部が、スナップテープのスナップボタンにより、帽子本体の後方周縁部に、着脱自在に設けられていることを特徴とする帽子である。（請求項１）
【００１１】
本考案におけるスナップテープとは、複数のスナップボタンが取り付けられたテープを言い、例えば特開２０００−２７０９０７号公報に記載される様な複数のスナップボタンが取り付けられたテープを言う。
【００１２】
また、本考案は、前記の帽子であって、帽子本体の後方周縁部および日除部の上縁部に、スナップテープが設けられていることを特徴とする帽子を提供する（請求項２）。
【００１３】
また、本考案は、前記の帽子であって、帽子本体の後方周縁部に、サイズ調節用ゴムが設けられていることを特徴とする帽子を提供する（請求項３）。
【００１４】
また、本考案は、前記の帽子であって、日除部の上縁部に、サイズ調節用ゴムが設けられていることを特徴とする帽子を提供する（請求項４）。
【００１５】
さらに、本考案は、前記の帽子であって、帽子が、鍔付帽子であることを特徴とする帽子を提供する（請求項５）。
【考案の効果】
【００１６】
本考案の帽子は、日除部が、帽子本体の後方周縁部に、スナップボタンにより設けられているため、日除部の帽子本体への結合力に優れる。
【００１７】
また、帽子本体や日除部への複数のスナップボタンの取り付けは、スナップテープを帽子本体や日除部に取り付けるだけであるため、スナップボタンの取り付け作業性に優れる。
【００１８】
即ち、個々のスナップボタンの取り付け作業より、テープの取り付け作業の方が簡単であり、加えて複数のスナップボタンの取り付け作業であるにも関わらず、１本のテープを取り付けるだけで済むため、作業性が飛躍的に優れる。
【００１９】
さらに、本考案の帽子は、サイズ調節用ゴムを取り付けることによっても、スナップボタンの結合、結合解除操作に支障が生じず、サイズ調節用ゴムの伸縮部が弾性力を有するため、却って操作性が向上する。
【考案を実施するための最良の形態】
【００２０】
本考案を実施するための最良の形態を、図面を用いて説明する。
【００２１】
図１〜図５は、本考案の帽子の一例に関する図面である。図１は帽子前方側方部からの斜視図、図２は日除部を一部取り外した後方側方部からの帽子の斜視図、図３は側面図、図４は平面図、図５は背面図である。また、図６は日除部の正面図である。
【００２２】
１は帽子、２は帽子本体、３は鍔、４は日除部、５は顎ひも、６は雌スナップテープ、８は雄スナップテープ、９は雄スナップボタン、１０はサイズ調節用ゴム、１１はネームステッカー、１２はちぎ、１３はテープ、Ｌ１〜Ｌ３、Ｒ１〜Ｒ３は各レンゲの番号を示す。
【００２３】
図面において、理解の便宜上、背面の部材の一部を、適宜、点線等により表示した。
【００２４】
図面に示される様に、本考案の帽子１は、日除部４が帽子本体２の後方周縁部に設けられている。このため、本考案の帽子１は、帽子使用者の後頭部および首部に照射される太陽光線、特に紫外線を遮蔽することができる。
【００２５】
紫外線をより効果的に防止するためには、紫外線遮蔽効果の大きい材質からなる日除部４を使用することが好ましいが、本考案者の測定結果では、帽子本体２に一般的に用いられるニットによっても、十分な紫外線遮蔽効果があることが判明した。
【００２６】
経済性、使用感を考慮した場合、特にポリエステル１００％、厚さ０．５ｍｍのカノコ編みニット地（以下、カノコニットと表記する。）が、紫外線遮蔽効果が大きい材質として好ましい。特に、前記カノコニットを２枚重ねて日除部４とすることが、経済性、使用感、紫外線遮蔽効果のバランス上、最も好ましい。
【００２７】
また、同じ条件のニットでも、色により紫外線遮蔽効果が異なる。本考案者が同一条件のニットを２枚重ねた日除部について、色別の紫外線遮蔽率を測定した結果では、白９９．３％、グリーン９８．６％、紫９８．１％、若草９７．７％、赤９７．６％、オレンジ９７．６％、ローズ９７．５％、ブルー９７．３％、イエロー９６．８％、水９５．４％、ウスムラサキ９４．５％、ピンク９３．９％、クリーム９３．５％という値を得た。このため、帽子本体２の色の選択だけでなく、日除部４の色の選択にあたっても、使用目的、好み等と共に、紫外線遮蔽率を考慮した色の選択が好ましい。
【００２８】
本考案においては、日除部４は、帽子本体２の後方周縁部に設けられていればよいが、帽子本体２の後方周縁部だけではなく、帽子本体２の左右部にまで及ぶ日除部４が設けられていてもよい。
【００２９】
しかし、耳部全体にまで達する日除部４は、周囲からの音が聴き取りにくくなり、また不快感を与えると共に、周囲の物に引っ掛かり易い。このため、適切な日除部４の大きさにする必要がある。特に学童用の場合には、安全上の配慮がより一層重要である。本考案者の実験結果では、耳部の一部に達する程度の大きさの日除部４が最も好ましい。
【００３０】
また、日除部４の縦長さは、首部まであることが好ましい一方、長すぎる場合は不快感があると共にコストアップにもなるため、首部までに留めることが好ましい。
【００３１】
次に、本考案の帽子１は、日除部４が帽子本体２の後方周縁部に、スナップテープのスナップボタンにより着脱自在に設けられている。
【００３２】
スナップテープは、複数のスナップボタンが取り付けられた長尺のテープを必要な長さに切って用いられる。
【００３３】
スナップテープには、雄スナップテープと雌スナップテープがあり、一対として使用することにより、スナップボタンにより両スナップテープが接合される。スナップテープに設けられるスナップボタンの個数、配置は、適宜使用される帽子１、日除部４の大きさなどにより選択される。
【００３４】
図７に、雄スナップテープ８の一例を示す。雄スナップテープ８には、布製のテープ１３に樹脂製の雄スナップボタン９が、複数個設けられている。この様な雄スナップテープ８は、一般的には、エンドレスの布製のテープ１３に、樹脂を含浸させて雄スナップボタン９を設け、テープ１３を必要な長さに切って使用される。
【００３５】
この様なスナップテープを用い、スナップテープを帽子本体２および日除部４に取り付ける方が、個々のスナップボタンを、帽子本体２および日除部４に取り付けるより、スナップボタンの取り付けのための作業が大幅に効率化される。
【００３６】
具体的には、スナップテープの一つは、帽子本体２の後方周縁部に、取り付けられる。この場合、スナップテープは、雨の侵入防止、外観、周囲の物への引っ掛かりなどの理由から、帽子本体２の後方周縁部の内側に取り付けることが好ましい。リバーシブルタイプの帽子１にあっては、使用頻度の高い面の反対側に取り付けることが好ましい。取り付け方法は、特に制限されないが、ミシン糸によるミシン縫いが、効率的で経済的でもある。
【００３７】
スナップテープの他の一つは、日除部４の上縁部に取り付けられる。
【００３８】
雄スナップテープ、雌スナップテープのいずれを、帽子本体２あるいは日除部４に設けるかについては、特に制限はないが、日除部４を装着せずに、帽子本体２を着用する場合、雄スナップテープに設けられた雄スナップボタンの凸状突起が、直接、身体に触れて、不快感を感じさせる恐れがあるため、帽子本体２には、雌スナップテープを、日除部４には、雄スナップテープを設けることが好ましい。
【００３９】
雄スナップテープ、雌スナップテープは、各々に取り付けられた、雄スナップボタン、雌スナップボタンが対応する位置に設けられる様に、帽子本体２、日除部４に設けられる。
【００４０】
従来、帽子本体２に日除部４を面ファスナーなどにより設ける場合、面ファスナーなどの結合の操作性より、帽子本体２の後方周縁部にサイズ調節用ゴムを設けることが困難であった。
【００４１】
しかし、本考案のスナップテープを用いる方法においては、サイズ調節用ゴムを設けても、スナップボタンの結合操作に支障がないばかりでなく、却って、サイズ調節用ゴムが設けられている方が、伸縮部が弾性力を有する結果、スナップボタンの結合操作が容易であることが判った。
【００４２】
この場合、特に、帽子本体２にサイズ調節用ゴムが設けられていると共に、日除部４にもサイズ調節用ゴムを設けられていることが、スナップボタンの結合操作上好ましい。
【００４３】
本考案の帽子は、紫外線対策用だけではなく、熱射病対策用の帽子としても効果を有する。
【００４４】
本考案の帽子は、鍔付帽子に限定されないが、鍔付帽子は、顔面への紫外線遮蔽が行なわれると共に、帽子本体２のスナップテープの位置を探しやすいため、鍔付帽子であることが好ましい。
【実施例】
【００４５】
頭サイズ５８ｃｍの、ポリエステル１００％、厚さ０．５ｍｍの赤色および白色のカノコニット２枚重ねの鍔付学童用帽子の帽子本体２の後方周縁部に、長さ８ｃｍ、最大伸長時長さ１８ｃｍのサイズ調節用ゴムを、伸ばした状態で、ミシン縫いにより縫い付けた。
【００４６】
次に、前記サイズ調節用ゴムを伸ばした状態で、前記サイズ調節用ゴムを覆い乍ら、雌スナップボタンが５つ取り付けられた長さ３３ｃｍの雌スナップテープ６を、帽子本体２の内側の後方周縁部に、ミシン縫いにより縫い付けた。
【００４７】
次に、上縁部長さ３３ｃｍ、最大部縦長さ１８ｃｍの図６に示される形状のポリエステル１００％、厚さ０．５ｍｍの赤色および白色のカノコニット２枚重ねの日除部４の上縁部に、長さ８ｃｍ、最大伸長時長さ１８ｃｍのサイズ調節用ゴム１０を、伸ばした状態で、ミシン縫いにより縫い付けた。なお、図６において点線で示される部分は、ステッチである。
【００４８】
次に、サイズ調節用ゴム１０を伸ばした状態で、サイズ調節用ゴム１０を覆い乍ら、雄スナップボタン９が５つ取り付けられた長さ３３ｃｍの雄スナップテープ８を、日除部４の表面側の上縁部に、ミシン縫いにより縫い付けた。
【００４９】
日除部４の雄スナップテープ８の雄スナップボタン９を、帽子本体２の雌スナップテープ６の雌スナップボタンに結合させて、帽子本体２に、日除部４を取り付けて、日除部４が着脱自在に設けられた帽子１を得た。
【００５０】
この様にして得られた帽子１について、学童３０名の試着によって、テストした結果、スナップボタンの結合、結合解除の操作性が容易であり、使用感も学童が十分満足できる帽子１であることが確認できた。また長時間の使用時においても、日除部４が、帽子本体２から脱落することはなかった。
【図面の簡単な説明】
【００５１】
【図１】本考案の帽子の一例の帽子前方側方部からの斜視図である。
【図２】本考案の帽子の一例の日除部を一部取りはずした帽子後方側方部からの斜視図である。
【図３】本考案の帽子の一例の側面図である。
【図４】本考案の帽子の一例の平面図である。
【図５】本考案の帽子の一例の背面図である。
【図６】本考案の帽子の一例の日除部の正面図である。
【図７】雄スナップテープの正面図である。
【符号の説明】
【００５２】
１  帽子
２  帽子本体
３  鍔
４  日除部
５  顎ひも
６  雌スナップテープ
８  雄スナップテープ
９  雄スナップボタン
１０  サイズ調節用ゴム
１１  ネームステッカー
１２  ちぎ
１３  テープ
【図１】
0003103595.tif 000003
【図２】
0003103595.tif 000004
【図３】
0003103595.tif 000005
【図４】
0003103595.tif 000006
【図５】
0003103595.tif 000007
【図６】
0003103595.tif 000008
【図７】
0003103595.tif 000009